(57)【要約】【課題】ＳＴＢ自動録画における誤動作を防ぎ、ユーザを混乱させることがない録画装置を提供する。【解決手段】外部入力端子２４から映像信号が入力されると、制御部４０は、制御部４０は、RAMに記憶している切替制御コードと同じ制御コードが受信部２９において受信されたか否かを判定する（S２０）。切替制御コードと同じ制御コードが受信部２９において受信されていないと判定すると、制御部４０は、DVD１１に対する録画をDVD記録部１２に開始させる（S１５）。一方、切替制御コードと同じ制御コードが受信部２９において受信されていると判定すると、制御部４０は、DVD記録部１２が映像音声信号をDVD１１に録画することを禁止する（S２２）。これにより、ユーザが、STB９０に付属するリモコン６０を用いて、STB９０の電源キー６６を押下した場合に、録画装置１０１は、録画を開始してしまうという誤動作を起こさない。【選択図】図２
2008034029.tif 000002
【特許請求の範囲】
【請求項１】
外部機器からの映像信号の入力の有無を監視し、前記外部機器から前記映像信号が入力されると、前記映像信号を情報記憶媒体に記録する記録手段を備えるDVDレコーダにおいて、
前記外部機器に付属するリモコンから送信される制御コードを受信する受信手段と、
前記制御コードの内の、前記外部機器の電源を切替える切替制御コードを予め記憶する記憶手段と、
前記外部機器から前記映像信号が入力されると、前記記憶手段が予め記憶する前記切替制御コードと同じ制御コードが前記受信手段において受信されたか否かを判定する判定手段と、
前記切替制御コードを前記記憶手段に記録することを指定するコード記録キーを有する操作手段と、
前記コード記録キーが操作されると、前記受信手段において前記制御コードが受信されるのを待つコード記録手段と、を備え、
前記コード記録手段は、前記受信手段において前記制御コードが受信されると、受信された前記制御コードを前記切替制御コードとして前記記憶手段に記録し、
前記判定手段は、
（１）前記切替制御コードと同じ制御コードが前記受信手段において受信されたと判定すると、前記切替制御コードと同じ制御コードが前記受信手段において受信された時から前記映像信号が入力された時までの時間が一定時間以内であるか否かを判定し、
前記時間が一定時間以内であると判定すると、前記記録手段が前記映像信号を前記情報記憶媒体に記録することを禁止し、
前記時間が一定時間以内でないと判定すると、前記記録手段が前記映像信号を前記情報記憶媒体に記録することを許可し、
（２）前記切替制御コードと同じ制御コードが前記受信手段において受信されていないと判定すると、前記記録手段が前記映像信号を前記情報記憶媒体に記録することを許可するDVDレコーダ。
【請求項２】
外部機器からの映像信号の入力の有無を監視し、前記外部機器から前記映像信号が入力されると、前記映像信号を情報記憶媒体に記録する記録手段を備える録画装置において、
前記外部機器に付属するリモコンから送信される制御コードを受信する受信手段と、
前記制御コードの内の、前記外部機器の電源を切替える切替制御コードを予め記憶する記憶手段と、
前記外部機器から前記映像信号が入力されると、前記記憶手段が予め記憶する前記切替制御コードと同じ制御コードが前記受信手段において受信されたか否かを判定する判定手段と、を備え、
前記判定手段は、
前記切替制御コードと同じ制御コードが前記受信手段において受信されたと判定すると、前記記録手段が前記映像信号を前記情報記憶媒体に記録することを禁止し、
前記切替制御コードと同じ制御コードが前記受信手段において受信されていないと判定すると、前記記録手段が前記映像信号を前記情報記憶媒体に記録することを許可する録画装置。
【請求項３】
前記切替制御コードを前記記憶手段に記録することを指定するコード記録キーを有する操作手段と、
前記コード記録キーが操作されると、前記受信手段において前記制御コードが受信されるのを待つコード記録手段と、を備え、
前記コード記録手段は、
前記受信手段において前記制御コードが受信されると、受信された前記制御コードを前記切替制御コードとして前記記憶手段に記録する請求項２に記載の録画装置。
【請求項４】
前記判定手段は、
前記切替制御コードと同じ制御コードが前記受信手段において受信されたと判定すると、前記切替制御コードと同じ制御コードが前記受信手段において受信された時から前記映像信号が入力された時までの時間が一定時間以内であるか否かを判定し、
前記時間が一定時間以内であると判定すると、前記記録手段が前記映像信号を前記情報記憶媒体に記録することを禁止し、
前記時間が一定時間以内でないと判定すると、前記記録手段が前記映像信号を前記情報記憶媒体に記録することを許可する請求項２又は３に記載の録画装置。
【発明の詳細な説明】
【技術分野】
【０００１】
本発明は、外部機器から供給された映像信号を情報記憶媒体に自動的に録画するSTB自動録画機能を備えた録画装置に関するものである。
【背景技術】
【０００２】
従来、外部機器であるセットトップボックス（以下、STBと称する）から供給された映像信号及び音声信号（以下、まとめて映像音声信号と称する）を情報記憶媒体に自動的に録画する、いわゆるSTB自動録画機能を備えた録画装置が知られている。STBは、例えばＢＳ（Broadcasting Satellite）チューナ、ＣＳ（Communication Satellite）チューナを内蔵している。情報記憶媒体は、例えばDVD（Digital Versatile Disk）、HD（Hard Disk）である。録画装置は、例えばDVDレコーダ、HDレコーダである。また、映像音声信号は、外部機器の外部出力端子と録画装置の外部入力端子とを接続するケーブルを介して、録画装置に供給される。
【０００３】
上記のＳＴＢ自動録画を行う場合、ユーザは、ＳＴＢ側で録画を行いたい番組のタイマー予約録画を設定しておき、録画装置側でＳＴＢ自動録画を設定する。ＳＴＢ自動録画が設定されると、録画装置は、外部入力端子からの映像信号の入力の有無を監視する。
【０００４】
そして、タイマー予約録画された番組の予約録画開始時刻になると、ＳＴＢは、録画したい番組を放送するチャンネルの受信を開始するとともに、そのチャンネルの映像音声信号を録画装置に送信する。録画装置は、外部入力端子からの映像信号の入力を合図に、ＳＴＢから外部入力端子に供給される映像音声信号の録画を開始する。
一方、録画装置が提案されている（特許文献１参照）。
【特許文献１】特開２００４−２３６１９７公報
【発明の開示】
【発明が解決しようとする課題】
【０００５】
しかしながら、ユーザが、STBに付属するリモコンを用いて、STBの電源キーを押下した場合、ＳＴＢは、予約録画開始時刻でなくとも映像音声信号を録画装置に送信する。即ち、STBの電源オンと同時に録画装置の外部入力端子から映像信号が入力される。そのため、上記従来の録画装置は、ユーザがSTBの電源キーを押下した場合でも、録画を開始してしまうという誤動作を起こしていた。
よって、従来の録画装置では、ＳＴＢ自動録画が行われる場合において録画予約されていない番組が情報記憶媒体に勝手に録画されてしまうという問題があった。従って、操作を誤ったのではないかとユーザが誤解し、その結果ユーザを混乱させるという問題があった。
【０００６】
本発明はこのような従来の課題を解決しようとするものであり、ＳＴＢ自動録画における誤動作を防ぎ、ユーザを混乱させることがない録画装置を提供することを目的とする。
【課題を解決するための手段】
【０００７】
本発明の録画装置は、前記課題を解決するために以下の構成を備えている。
【０００８】
（１）外部機器からの映像信号の入力の有無を監視し、前記外部機器から前記映像信号が入力されると、前記映像信号を情報記憶媒体に記録する記録手段を備える録画装置において、
前記外部機器に付属するリモコンから送信される制御コードを受信する受信手段と、
前記制御コードの内の、前記外部機器の電源を切替える切替制御コードを予め記憶する記憶手段と、
前記外部機器から前記映像信号が入力されると、前記記憶手段が予め記憶する前記切替制御コードと同じ制御コードが前記受信手段において受信されたか否かを判定する判定手段と、を備え、
前記判定手段は、
前記切替制御コードと同じ制御コードが前記受信手段において受信されたと判定すると、前記記録手段が前記映像信号を前記情報記憶媒体に記録することを禁止し、
前記切替制御コードと同じ制御コードが前記受信手段において受信されていないと判定すると、前記記録手段が前記映像信号を前記情報記憶媒体に記録することを許可する。
【０００９】
この構成において、外部機器は、例えばＢＳ（Broadcasting Satellite）チューナ、ＣＳ（Communication Satellite）チューナを内蔵している。情報記憶媒体は、例えばDVD（Digital Versatile Disk）、HD（Hard Disk）である。録画装置は、例えばDVDレコーダ、HDレコーダである。また、映像音声信号は、例えば外部機器の外部出力端子と録画装置の外部入力端子とを接続するケーブルを介して、録画装置に供給される。
まず、ユーザがリモコンの切替制御コードを記憶手段に登録する第１の場面と、ユーザがＳＴＢ自動録画を設定した第２の場面と、に分けて説明する。
この構成では、第２の場面を想定している。
ユーザがＳＴＢ自動録画を設定すると、記録手段は、外部機器からの映像信号の入力の有無を監視する。そして、外部機器から映像信号が入力されると、判定手段は、記憶手段が予め記憶する切替制御コードと同じ制御コードが受信手段において受信されたか否かを判定する。
そして、切替制御コードと同じ制御コードが受信手段において受信されたと判定すると、判定手段は、記録手段が映像信号を情報記憶媒体に記録することを禁止する。ここで、切替制御コードと同じ制御コードが受信手段において受信されたということは、ユーザが外部機器に付属するリモコンを用いて外部機器の電源キーを押下したということを意味する。
これにより、ユーザが、外部機器に付属するリモコンを用いて、外部機器の電源キーを押下した場合に、録画装置は、録画を開始してしまうという誤動作を起こさない。
以上より、ＳＴＢ自動録画における誤動作を防ぐことができる。従って、ユーザを混乱させることがなくなる。
【００１０】
（２）前記切替制御コードを前記記憶手段に記録することを指定するコード記録キーを有する操作手段と、
前記コード記録キーが操作されると、前記受信手段において前記制御コードが受信されるのを待つコード記録手段と、を備え、
前記コード記録手段は、
前記受信手段において前記制御コードが受信されると、受信された前記制御コードを前記切替制御コードとして前記記憶手段に記録する。
【００１１】
この構成では、第１の場面を想定している。
ユーザがリモコンの切替制御コードを記憶手段に登録する場合、まず、ユーザは、操作手段のコード記録キーを操作する。次に、ユーザは、リモコンの電源キーを操作する。
まず、ユーザが操作手段のコード記録キーを操作すると、コード記録手段は制御コードが受信されるのを待つ。次に、ユーザがリモコンの電源キーを操作すると、切替制御コードがリモコンから送信され、受信手段において受信される。コード記録手段は受信した制御コードを切替制御コードとして記憶手段に記録する。
これにより、ユーザは、切替制御コードを記憶手段に登録することができる。
以上により、記憶手段は、外部機器の電源を切替える切替制御コードを予め記憶する。
なお、この記憶された切替制御コードは、上記第２の場面において使用される。
【００１２】
（３）前記判定手段は、
前記切替制御コードと同じ制御コードが前記受信手段において受信されたと判定すると、前記切替制御コードと同じ制御コードが前記受信手段において受信された時から前記映像信号が入力された時までの時間が一定時間以内であるか否かを判定し、
前記時間が一定時間以内であると判定すると、前記記録手段が前記映像信号を前記情報記憶媒体に記録することを禁止し、
前記時間が一定時間以内でないと判定すると、前記記録手段が前記映像信号を前記情報記憶媒体に記録することを許可する。
【００１３】
この構成において、一定時間は、例えば３０秒、又は１分である。上記の判定は、例えば切替制御コードと同じ制御コードが受信手段で測定された時から時間の測定を開始し、映像信号が入力された時を調べるにことにより行われる。
外部機器に付属するリモコンの電源キーが操作されると、外部機器は、通常数秒から１０秒以内に映像音声信号を録画装置に送信する。即ち、そのリモコンの電源キーが操作されると、録画装置側では、数秒から１０秒以内に外部機器から映像信号が入力される。
そのため、上記の時間が一定時間より大きい場合、外部機器から映像信号が入力された原因は、外部機器の電源オンによるものではないと言える。
この構成においては、上記（１）においてＳＴＢ自動録画まで禁止しないよう、切替制御コードと同じ制御コードが受信手段において受信されたとしても、一律に録画を禁止しない。
以上より、ＳＴＢ自動録画まで禁止することを防止できる。
【発明の効果】
【００１４】
この発明によれば、ＳＴＢ自動録画における誤動作を防ぐことができる。従って、ユーザを混乱させることがなくなる。
【発明を実施するための最良の形態】
【００１５】
以下、本発明の実施形態である録画装置について説明する。
【００１６】
図１は、本発明の実施形態である録画装置にSTBとTVが接続されている様子を示す概観図である。外部機器であるSTB９０は、例えばＢＳ（Broadcasting Satellite）チューナ、ＣＳ（Communication Satellite）チューナ（不図示）を内蔵している。リモコン６０は、STB９０に付属するリモコンである。また、STB９０は、放送局から伝送されてきた映像音声信号を出力する外部出力端子９１と、リモコン６０から送信される制御コードを受信する受信部９２と、前記チューナを含む各部を制御する制御部（不図示）と、を備える。
【００１７】
リモコン６０は、STB９０の各種操作を受付けるための各種操作キー６１と、各種操作キー６１に対応する制御コードを送信する赤外LED６３と、を有する。
ここで、多くの操作キーからなる各種操作キー６１の中には、STB９０の電源オン／オフの切替えを指定する電源キー６６と、タイマー予約録画の設定の際に利用され、チューナの選局や予約録画開始時刻／予約録画終了時刻などを指定するタイマー予約録画設定キー６２、６４、６５と、が含まれる。
【００１８】
リモコン６０は、各種操作キー６１に対応した制御コードを赤外LED６３によって送信する。STB９０の受信部９２は、リモコン６０の赤外LED６３からの制御コードを受信すると（図１（b）、図２（b）参照）、前記制御部にこの制御コードを伝送する。前記制御部は、この制御コードに基づいて前記チューナを含む各部を制御する。
【００１９】
ケーブル８１は、ＳＴＢ９０の外部出力端子９１と録画装置１０１の外部入力端子２４とを接続している。そのため、ＳＴＢ９０から出力される映像音声信号は、ケーブル８１を介して、録画装置１０１に供給される。
【００２０】
録画装置１０１は、映像音声信号が入力される外部入力端子２４と、映像音声信号を出力する外部出力端子２５と、を備える。録画装置１０１は、いわゆるDVDレコーダである。
【００２１】
録画装置１０１は、外部入力端子２４から入力された映像音声信号をDVD１１に記録する。一方、録画装置１０１は、DVD１１から映像音声信号を読取って外部出力端子２５から出力する。そして、録画装置１０１の外部出力端子２５から出力される映像音声信号は、ケーブル８２を介して、TV８５に供給される。ユーザは、TV８５において、映像信号に基づく映像と音声信号に基づく音声を視聴する。
なお、この実施形態では、STB９０は、本発明の「外部機器」に相当する。
【００２２】
図２は、本発明の実施形態である録画装置の主要な構成を示すブロック図である。録画装置１０１は、映像音声信号が入力される外部入力端子２４と、ＤＶＤ１１に映像音声信号を記録するDVD記録部１２と、映像音声信号を出力する外部出力端子２５と、ユーザの操作を受付ける操作部２２と、ユーザへのメッセージを表示する表示部２８と、制御プログラムを記憶する記憶部４１と、装置の各部を制御する制御部４０と、を備える。
【００２３】
記憶部４１は、例えばEEPROMで構成される。
【００２４】
制御部４０は、例えばマイクロコンピュータで構成される。さらに、制御部４０は、上記制御プログラムにより処理されるデータを展開するワークフィールドとしてのＲＡＭ（不図示）と、フラグを立てるためのレジスタ（不図示）と、時間を測定するタイマー（不図示）と、を内蔵する。
【００２５】
操作部２２は、各種操作に対応した制御コードを制御部４０に伝送する。
制御部４０は、操作部２２から伝送された制御コードに基づいて、ケース２に設けられたDVD記録部１２等といった録画装置１０１の各部の動作を制御する。
【００２６】
DVD記録部１２は、制御部４０からの制御信号に基づいて、録画一時停止、録画開始、録画停止などを行う。
【００２７】
録画装置１０１の外部出力端子２５には、TV８５がケーブル８２を介して接続されている。TV８５は、表示部８６と、スピーカ部８７と、を備える。表示部８６は、例えば、ＰＤＰ（ＰｌａｓｍａＤｉｓｐｌａｙ Ｐａｎｅｌ），又はＬＣＤ（Ｌｉｑｕｉｄ Ｃｒｙｓｔａｌ Ｄｉｓｐｌａｙ）である。TV８５は、録画装置１０１からの供給される映像音響信号を、表示信号と音声信号とに変換し、表示部８６に表示出力し、スピーカ部８７より音声出力する。ユーザは、TV８５の表示部８６及びスピーカ部８７によって、映像信号に基づく映像と音声信号に基づく音声を視聴する。
【００２８】
なお、この実施形態では、制御部４０は、本発明の「判定手段」に相当する。制御部４０、DVD記録部１２は、本発明の「記録手段」に相当する。DVD１１は、本発明の「情報記憶媒体」に相当する。
【００２９】
ここで、ＳＴＢ自動録画を行う場合について以下説明する。
このＳＴＢ自動録画を行う場合、ユーザは、ＳＴＢ９０のリモコン６０のキー６２、６４、６５で録画を行いたい番組のタイマー予約録画を設定しておき、録画装置１０１の操作部２２でＳＴＢ自動録画を設定する。ＳＴＢ自動録画が設定されると、録画装置１０１は、例えば、DVD１１に映像信号を記録するDVD記録部１２等の電源は切断されるものの、これら各部を制御する制御部４０は通電されたままの状態（以下、ＳＴＢ自動録画待機状態と称する）になる。このＳＴＢ自動録画待機状態では、制御部４０は、外部入力端子２４からの映像信号の入力の有無を監視する。
【００３０】
そして、タイマー予約録画された番組の予約録画開始時刻になると、ＳＴＢ９０は、録画したい番組を放送するチャンネルの受信を開始するとともに、その番組の映像音声信号を録画装置１０１に送信する。ＳＴＢ自動録画待機状態の録画装置１０１は、外部入力端子２４から映像信号が入力されると、通電状態の制御部４０が、電源切断状態のDVD記録部１２等に対して通電を行う。そして、録画装置１０１は、ＳＴＢ９０から外部入力端子２４に供給される映像音声信号の録画を開始する。
【００３１】
しかしながら、ユーザが、STB９０に付属するリモコン６０を用いて、STB９０の電源キー６６を押下した場合、予約録画開始時刻でなくとも映像音声信号を録画装置１０１に送信する。即ち、STB９０の電源オンと同時に外部入力端子２４から映像信号が入力される。そのため、上記従来の録画装置は、ユーザがSTB９０の電源キー６６を押下した場合でも、録画を開始してしまうという誤動作を起こしていた。
【００３２】
そこで、この実施形態では、以下のように構成している。
まず、ユーザがリモコン６０の切替制御コードを記憶部４１に登録する第１の場面と、ユーザがＳＴＢ自動録画を設定した第２の場面と、に分けて説明する。
【００３３】
まず、第１の場面について説明する。
図１、図２に示すように、録画装置１０１は、リモコン６０から送信される制御コードを受信する受信部２９を備える。受信部２９は、リモコン６０の赤外LED６３からの制御コードを受信すると（図１（b）、図２（b）参照）、制御部４０にこの制御コードを伝送する。また、操作部２２は、切替制御コードを記憶部４１に記録することを指定するコード記録キー（不図示）を有する。ここで、切替制御コードは、STB９０の電源を切替えるコードである。
【００３４】
ユーザがリモコン６０の切替制御コードを記憶部４１に登録する場合、まず、ユーザは、操作部２２のコード記録キーを押下する。次に、ユーザは、リモコン６０の電源キー６３を押下する。
【００３５】
図３は、本発明の実施形態である録画装置において操作部のコード記録キーが押下された時に制御部が行う動作を示すフローチャートである。
【００３６】
操作部２２のコード記録キーが押下されると、制御部４０は、受信部２９において制御コードが受信されたか否かを判定する（S１）。
【００３７】
受信部２９において制御コードが受信されていないと判定すると、制御部４０は、所定時間経過したか否かを判定する（S２）。所定時間は、例えば１０秒である。所定時間経過していないと判定すると、制御部４０は、S１に戻り処理を継続する。ここで、S１及びS2では、制御部４０は、受信部２９において制御コードが受信されるのを待っている。この間に、ユーザはリモコン６０の電源キー６３を押下する。
【００３８】
S２において所定時間経過していると判定すると、制御部４０は、本処理を終了する。ここでは、ユーザが切替制御コードを記憶部４１に登録することを諦めた場面を想定している。
【００３９】
一方、S１において受信部２９において制御コードが受信されたと判定すると（図１（b）、図２（b）参照）、制御部４０は、その制御コードを切替制御コードとして記憶部４１に記録し（S３）、本処理を終了する。これにより、ユーザは、切替制御コードを記憶部４１に登録することができる。
【００４０】
以上により、記憶部４１は、STB９０の電源を切替える切替制御コードを予め記憶する。
なお、この記憶された切替制御コードは、下記第２の場面において使用される。
【００４１】
次に、第２の場面について説明する。
図４は、本発明の実施形態である録画装置においてSTB自動録画モードに移行した時に制御部が行う動作を示すフローチャートである。ユーザがＳＴＢ自動録画を操作部２２で設定すると、制御部４０は、STB自動録画モードを実行し、以下の処理を開始する。
【００４２】
まず、制御部４０は、切替制御コードが記憶部４１に記憶されているか否かを判定する（S１１）。切替制御コードが記憶部４１に記憶されていない場合、従来の録画装置と同じ処理を行う（後述のS１２〜S１５参照）。
【００４３】
切替制御コードが記憶部４１に記憶されていないと判定すると、制御部４０は、録画装置１０１の状態を上述のＳＴＢ自動録画待機状態にする（S１２）。即ち、制御部４０は、DVD記録部１２等の電源を切断する。S１２を設けた理由は、節電のためである。
【００４４】
そして、このＳＴＢ自動録画待機状態で、制御部４０は、外部入力端子２４から映像信号の入力の有無を監視する（S１３）。
【００４５】
外部入力端子２４から映像信号が入力されると、制御部４０は、上述のＳＴＢ自動録画待機状態を解除する（S１４）。即ち、制御部４０は、電源切断状態のDVD記録部１２等に対して通電する。
【００４６】
制御部４０は、DVD１１に対する録画をDVD記録部１２に開始させ（S１５）、本処理を終了する。これにより、DVD記録部１２は、DVD１１に対し、映像音声信号の録画を開始する。
【００４７】
一方、S１１において、切替制御コードが記憶部４１に記憶されていると判定すると、制御部４０は、記憶部４１から切替制御コードを読出す（S１６）。S１６において、制御部４０は、読出した切替制御コードをRAMに記憶しておく。そして、制御部４０は、RAMに記憶している切替制御コードと同じ制御コードが受信部２９において受信された段階で、内蔵するレジスタのフラグを立てる（０から１にする）。このフラグの状態（０又は１）は、S２０の判定に用いられる。
なお、レジスタのフラグは、本処理を開始する段階と本処理を終了する段階とで、リセットする（１から０にする）のが好ましい。
【００４８】
制御部４０は、録画装置１０１の状態を上述のＳＴＢ自動録画待機状態にする（S１７）。S１７は、S１２と同じ処理である。
【００４９】
そして、ＳＴＢ自動録画待機状態で、制御部４０は、外部入力端子２４から映像信号の入力の有無を監視する（S１８）。S１８も、S１３と同じ処理である。
【００５０】
外部入力端子２４から映像信号が入力されると、制御部４０は、上述のＳＴＢ自動録画待機状態を解除する（S１９）。S１９も、S１４と同じ処理である。
【００５１】
そして、制御部４０は、RAMに記憶している切替制御コードと同じ制御コードが受信部２９において受信されたか否かを判定する（S２０）。この判定は、レジスタの状態（０又は１）を調べることにより行われる。また、S２０判定肯定では、ユーザが、STB９０に付属するリモコン６０を用いて、STB９０の電源キー６６を押下した場面を想定している。
【００５２】
切替制御コードと同じ制御コードが受信部２９において受信されていないと判定すると、制御部４０は、DVD１１に対する録画をDVD記録部１２に開始させ（S１５）、本処理を終了する。これにより、DVD記録部１２は、DVD１１に対し、映像音声信号の録画を開始する。即ち、S１５では、制御部４０は、DVD記録部１２が映像音声信号をDVD１１に記録することを許可している。
【００５３】
一方、切替制御コードと同じ制御コードが受信部２９において受信されていると判定すると、制御部４０は、切替制御コードと同じ制御コードが受信部２９において受信された時から映像信号が入力された時までの時間が一定時間以内であるか否かを判定する（S２１）。一定時間は、例えば３０秒、又は１分である。この判定は、切替制御コードと同じ制御コードが受信部２９で測定された時から時間の測定を開始し、映像信号が入力された時を調べるにことにより行われる。時間の測定は、内蔵するタイマーを用いて行われる。
【００５４】
ここで、STB９０に付属するリモコン６０の電源キー６６が操作されると、ＳＴＢ９０は、通常数秒から１０秒以内に映像音声信号を録画装置１０１に送信する。即ち、STB９０に付属するリモコン６０の電源キー６６が操作されると、録画装置１０１では、数秒から１０秒以内にSTB９０から映像信号が入力される。そのため、上記の時間が一定時間（３０秒、又は１分）より大きい場合、STB９０から映像信号が入力された原因は、STB９０の電源オンによるものではないと言える。
そこで、S２１では、ＳＴＢ自動録画まで禁止しないよう、切替制御コードと同じ制御コードが受信手段において受信されたとしても、一律に録画を禁止しない。
【００５５】
以上より、後述のS２２においてＳＴＢ自動録画まで禁止することを防止できる。
なお、この実施形態では、S２１の判定を行っているが、実施の際は、制御部４０にS２１をスルーさせても良い。
【００５６】
前記時間が一定時間を越えていると判定すると、制御部４０は、DVD１１に対する録画をDVD記録部１２に開始させ（S１５）、本処理を終了する。これにより、DVD記録部１２は、DVD１１に対し、映像音声信号の録画を開始する。
【００５７】
一方、前記時間が一定時間以内であると判定すると、制御部４０は、DVD記録部１２が映像音声信号をDVD１１に録画することを禁止し（S２２）、本処理を終了する。これにより、ユーザが、STB９０に付属するリモコン６０を用いて、STB９０の電源キー６６を押下した場合に、録画装置１０１は、録画を開始してしまうという誤動作を起こさない。
【００５８】
以上より、ＳＴＢ自動録画における誤動作を防ぐことができる。従って、ユーザを混乱させることがなくなる。
【図面の簡単な説明】
【００５９】
【図１】本発明の実施形態である録画装置にSTBとTVが接続されている様子を示す概観図
【図２】本発明の実施形態である録画装置の主要な構成を示すブロック図
【図３】本発明の実施形態である録画装置において操作部のコード記録キーが押下された時に制御部が行う動作を示すフローチャート
【図４】本発明の実施形態である録画装置においてSTB自動録画モードに移行した時に制御部が行う動作を示すフローチャート
【符号の説明】
【００６０】
２−ケース
１１−ＤＶＤ
２２−操作部
２４−外部入力端子
２５−外部出力端子
２８−表示部
２９−受信部
４０−制御部
４１−記憶部
６０−リモコン
６１−各種操作キー
６２−タイマー予約録画設定キー
６３−電源キー
６６−電源キー
８１−ケーブル
８２−ケーブル
８６−表示部
８７−スピーカ部
９０−ＳＴＢ
９１−外部出力端子
９２−受信部
１０１−録画装置
【図１】
2008034029.tif 000003
【図２】
2008034029.tif 000004
【図３】
2008034029.tif 000005
【図４】
2008034029.tif 000006